(57)【要約】【課題】無線接続網でサブフロー（ｓｕｂ−ｆｌｏｗｓ）を設定する方法及びそのための移動通信システムを提供すること。【解決手段】本発明によれば、無線網制御器（ＲＮＣ）が端末から伝送された無線資源制御（ＲＲＣ）連結要請メッセージを受信して端末のバージョンを確認し、ＲＲＣ連結要請メッセージに応答してＲＲＣ連結設定メッセージを端末に伝送する。そして、‘端末がＲＲＣ連結設定メッセージに応答して伝送したＲＲＣ連結設定完了メッセージ（この時、ＲＲＣ連結設定完了メッセージには映像呼に対する端末の多重サブフロー支援の如何を示すパラメータが含まれる）’を受信し、ＲＲＣ連結設定完了メッセージに含まれたパラメータを確認して映像呼に対するサブフローを設定する。【選択図】図４
2009159594.tif 000002
【特許請求の範囲】
【請求項１】
無線接続網の無線網制御器（ＲＮＣ）でサブフロー（ｓｕｂ−ｆｌｏｗ）を設定する方法であって、
端末から伝送された無線資源制御（ＲＲＣ）連結要請メッセージを受信して前記端末のバージョンを確認する段階と、
前記ＲＲＣ連結要請メッセージに応答してＲＲＣ連結設定メッセージを前記端末に伝送する段階と、
‘前記端末が前記ＲＲＣ連結設定メッセージに応答して伝送したＲＲＣ連結設定完了メッセージ’を受信する段階−前記ＲＲＣ連結設定完了メッセージには映像呼に対する前記端末の多重サブフロー支援の如何を示すパラメータが含まれる−と、
前記ＲＲＣ連結設定完了メッセージに含まれた前記パラメータを確認して映像呼に対するサブフローを設定する段階と
を備えることを特徴とするサブフロー設定方法。
【請求項２】
前記端末は、映像呼に対して多重サブフローを選択的にサポートできる端末であることを特徴とする請求項１に記載のサブフロー設定方法。
【請求項３】
前記ＲＮＣは、前記パラメータを確認するに従って、前記端末が多重サブフローをサポートすると映像呼に対して多重サブフローを設定し、前記端末が多重サブフローをサポートしないと映像呼に対して単一サブフローを設定することを特徴とする請求項２に記載のサブフロー設定方法。
【請求項４】
前記ＲＮＣは、前記パラメータを確認するに従って、前記端末が多重サブフローをサポートすると、音声呼に対するサブフロー設定後に映像呼にサービス切替時に多重サブフローを設定して切替えることを特徴とする請求項２に記載のサブフロー設定方法。
【請求項５】
前記ＲＮＣは、前記パラメータを確認するに従って、前記端末が多重サブフローをサポートすると、映像呼に対するサブフロー設定後に音声呼にサービス切替時に多重サブフローを設定して切替えることを特徴とする請求項２に記載のサブフロー設定方法。
【請求項６】
前記端末が映像呼に対して単一サブフローのみをサポートする端末であれば、前記ＲＮＣが映像呼に対して単一サブフローを設定することを特徴とする請求項１に記載のサブフロー設定方法。
【請求項７】
ＲＲＣ連結完了後、ＲＮＣが再割当される場合、ターゲットＲＮＣがソースＲＮＣから端末容量情報が伝送されたかどうかを確認する段階と、
前記確認に応答し、前記ターゲットＲＮＣが前記端末に端末容量情報を要請する段階と、
前記ターゲットＲＮＣが‘前記端末が前記要請に応答して伝送した端末容量情報メッセージ’を受信する段階−前記端末容量情報メッセージには映像呼に対する前記端末の多重サブフロー支援の如何を示すパラメータが含まれる−と、
前記ターゲットＲＮＣが前記端末容量情報メッセージに含まれた前記パラメータを確認して映像呼に対するサブフローを設定する段階と
をさらに備えることを特徴とする請求項１〜６のうちのいずれか一項に記載のサブフロー設定方法。
【請求項８】
前記端末が映像呼に対して多重サブフローを選択的にサポートすることができる端末の場合、前記ターゲットＲＮＣが前記パラメータを確認するに従って、前記端末が多重サブフローをサポートすると映像呼に対して多重サブフローを設定し、前記端末が多重サブフローをサポートしないと映像呼に対して単一サブフローを設定し、
前記端末が映像呼に対して単一サブフローのみをサポートする端末の場合、前記ターゲットＲＮＣが映像呼に対して単一サブフローを設定することを特徴とする請求項７に記載のサブフロー設定方法。
【請求項９】
移動通信システムの無線網制御器（ＲＮＣ）であって、
端末から伝送された無線資源制御（ＲＲＣ）連結要請メッセージを受信して前記端末のバージョンを確認するように動作する手段と、
前記ＲＲＣ連結要請メッセージに応答してＲＲＣ連結設定メッセージを前記端末に伝送するように動作する手段と、
‘前記端末が前記ＲＲＣ連結設定メッセージに応答して伝送したＲＲＣ連結設定完了メッセージ’を受信し、前記ＲＲＣ連結設定完了メッセージに含まれた‘映像呼に対する前記端末の多重サブフロー支援の如何を示すパラメータ’を確認して映像呼に対するサブフローを設定するように動作する手段と
を備えることを特徴とする移動通信システムの無線網制御器。
【請求項１０】
ＲＲＣ連結完了の後、ＲＮＣが再割当される場合、ソースＲＮＣから端末容量情報が伝送されるかどうかを確認するように動作する手段と、
前記確認に応答し、前記端末に端末容量情報を要請するように動作する手段と、
‘前記端末が前記要請に応答して伝送した端末容量情報メッセージ’を受信し、前記端末容量情報メッセージに含まれた‘映像呼に対する前記端末の多重サブフロー支援の如何を示すパラメータ’を確認して映像呼に対するサブフローを設定するように動作する手段と
をさらに備えることを特徴とする請求項９に記載の移動通信システムの無線網制御器。
【請求項１１】
前記端末が映像呼に対して多重サブフローを選択的にサポートすることができる端末の場合、前記パラメータを確認するに従って、前記端末が多重サブフローをサポートすると映像呼に対して多重サブフローを設定し、前記端末が多重サブフローをサポートしないと映像呼に対して単一サブフローを設定し、
前記端末が映像呼に対して単一サブフローのみをサポートする端末の場合、映像呼に対して単一サブフローを設定することを特徴とする請求項９または請求項１０に記載の移動通信システムの無線網制御器。
【請求項１２】
移動通信システムの端末（ＵＥ）であって、
制御チャネル設定要請のための無線資源制御（ＲＲＣ）連結要請メッセージに端末のバージョン情報を含んで無線網制御器（ＲＮＣ）に伝送するように動作する手段と、
前記ＲＮＣが伝送したＲＲＣ連結設定メッセージに応答してＲＲＣ連結設定完了メッセージに‘映像呼に対する前記端末の多重サブフロー支援の如何を示すパラメータ’を含んで前記ＲＮＣに伝送するように動作する手段と
を備えることを特徴とする移動通信システムの端末。
【請求項１３】
ＲＲＣ連結完了の後、ＲＮＣが再割当される場合、ターゲットＲＮＣからの要請に応答して前記パラメータが含まれた端末容量情報メッセージを前記ターゲットＲＮＣに伝送するように動作する手段をさらに備えることを特徴とする請求項１２に記載の移動通信システムの端末。
【請求項１４】
移動通信システムであって、
制御チャネル設定要請のための無線資源制御（ＲＲＣ）連結要請メッセージに端末のバージョン情報を含んで無線網制御器（ＲＮＣ）に伝送し、前記ＲＮＣから伝送されたＲＲＣ連結設定メッセージに応答してＲＲＣ連結設定完了メッセージに‘映像呼に対する前記端末の多重サブフロー支援の如何を示すパラメータ’を含んで前記ＲＮＣに伝送する端末と、
前記ＲＲＣ連結要請メッセージを受信して前記端末のバージョンを確認し、前記ＲＲＣ連結要請メッセージに応答して前記ＲＲＣ連結設定メッセージを前記端末に伝送し、前記ＲＲＣ連結設定完了メッセージに含まれた前記パラメータを確認して映像呼に対するサブフローを設定する無線網制御器と
を備えることを特徴とする移動通信システム。
【請求項１５】
前記ＲＮＣは、
前記端末が映像呼に対して多重サブフローを選択的にサポートできる端末の場合、前記パラメータを確認するに従って、前記端末が多重サブフローをサポートすると映像呼に対して多重サブフローを設定し、前記端末が多重サブフローをサポートしないと映像呼に対して単一サブフローを設定し、
前記端末が映像呼に対して単一サブフローのみをサポートする端末の場合、映像呼に対して単一サブフローを設定することを特徴とする請求項１４に記載の移動通信システム。
【発明の詳細な説明】
【技術分野】
【０００１】
本発明は、移動通信システムに関し、特に、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）無線接続網で円滑な映像サービス及びＳＣＵＤＩＦ（Ｓｅｒｖｉｃｅ  Ｃｈａｎｇｅ  ａｎｄ  Ｕｎｒｅｓｔｒｉｃｔｅｄ  Ｄｉｇｉｔａｌ  Ｉｎｔｅｒｆａｃｅ  Ｆａｌｌｂａｃｋ）機能を提供することができるサブフロー設定方法及びそのための移動通信システムに関する。
【背景技術】
【０００２】
ＵＭＴＳ無線接続網（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）で無線網制御器（ＲＮＣ：Ｒａｄｉｏ  Ｎｅｔｗｏｒｋ  Ｃｏｎｔｒｏｌｌｅｒ）は自分が管理する各基地局（Ｎｏｄｅ−Ｂ）に対して無線資源（ｒａｄｉｏ  ｒｅｓｏｕｒｃｅ）を割り当て、各基地局は割り当てられた無線資源を端末（ＵＥ：Ｕｓｅｒ  Ｅｑｕｉｐｍｅｎｔ）に提供する。無線資源はセル（Ｃｅｌｌ）別に構成されており、各基地局が提供する無線資源は該当基地局が管理する特定セルに関する無線資源を意味する。端末は基地局が管理する特定セルに関する無線資源を用いて無線チャネル（無線ベアラ）を設定し、設定された無線チャネルを通じてデータ（例えば、音声呼、映像呼等）を送受信する。
無線接続プロトコルで音声呼は、３つのサブフロー（ｓｕｂ−ｆｌｏｗ）で構成される（３つの無線ベアラが設定される）。映像呼に対して、単一サブフロー（ｓｉｎｇｌｅ  ｓｕｂ−ｆｌｏｗ）は全ての端末に必須でサポートされているが、多重サブフロー（例えば、３つのサブフロー）はバージョンがＲＥＬ（Ｒｅｌｅａｓｅ）−５以後の端末に対してのみ選択的にサポートされている。
一方、音声及び映像サービスの間に一時的に切替を所望の場合、ユーザが電話を切り、再びダイヤルを回してモードを切替える問題を解決するために、ＳＣＵＤＩＦ（Ｓｅｒｖｉｃｅ  Ｃｈａｎｇｅ  ａｎｄ  Ｕｎｒｅｓｔｒｉｃｔｅｄ  Ｄｉｇｉｔａｌ  Ｉｎｔｅｒｆａｃｅ  Ｆａｌｌｂａｃｋ）機能がバージョンＲＥＬ−５プロトコルに統合された。ＳＣＵＤＩＦは、映像サービスと音声サービスとの間の切替が可能な機能であり、映像サービスが音声サービスと同一の３つのサブフローを用いる場合にはサブフローを修正して用いることができるので、途切れないサービスが可能であるが、映像サービスが１つのサブフローを用いる場合には該当映像サービスを解除して音声サービスを再設定しなければならないので、サービス切替の時に途切れが発生することがある。
従来は、無線網制御器（ＲＮＣ）が端末（ＵＥ）で映像呼に対する多重サブフロー（例えば、３つのサブフロー）をサポートするかどうかを分からないため、ＲＥＬ−５バージョンの以後の端末で多重サブフローがサポートされなくても（即ち、ＲＥＬ−５バージョン以後の端末が単一フローのみをサポートする場合に）、映像呼に対して優先的に多重サブフロー（例えば、３つのサブフロー）を用いるので、呼設定失敗によってサービス連結のための再試図が必要である。また、音声サービス設定の後にＳＣＵＤＩＦ機能により映像サービスに転換する時に、音声サービスを解除した後、映像サービスを設定しなければならないので、呼品質が低下する問題がある。
【発明の開示】
【発明が解決しようとする課題】
【０００３】
本発明は、前述した問題を解決するためのものであって、ＲＲＣ連結設定完了（ＲＲＣ  ｃｏｎｎｅｃｔｉｏｎ  ｓｅｔｕｐ  ｃｏｍｐｌｅｔｅ）メッセージ及び端末容量情報（ＵＥ  ｃａｐａｂｉｌｉｔｙ  ｉｎｆｏｒｍａｔｉｏｎ）メッセージ内の端末無線アクセス容量（ＵＥ  ｒａｄｉｏ  ａｃｃｅｓｓ  ｃａｐａｂｉｌｉｔｙ）に端末の多重サブフロー（ｍｕｌｔｉｐｌｅ  ｓｕｂ−ｆｌｏｗ）の支援を確認することができるパラメータを追加して端末の多重サブフロー支援の如何に従って無線接続網のサブフローを設定する方法及びそのための移動通信システムを提供する。
【課題を解決するための手段】
【０００４】
前記目的を達成するために本発明のサブフロー（ｓｕｂ−ｆｌｏｗ）設定方法は、端末から伝送された無線資源制御（ＲＲＣ）連結要請メッセージを受信して前記端末のバージョンを確認する段階と、前記ＲＲＣ連結要請メッセージに応答してＲＲＣ連結設定メッセージを前記端末に伝送する段階と、‘前記端末が前記ＲＲＣ連結設定メッセージに応答して伝送したＲＲＣ連結設定完了メッセージ’を受信する段階−前記ＲＲＣ連結設定完了メッセージには映像呼に対する前記端末の多重サブフロー支援の如何を示すパラメータが含まれる−と、前記ＲＲＣ連結設定完了メッセージに含まれた前記パラメータを確認して映像呼に対するサブフローを設定する段階と
を備える。
本発明による移動通信システムの無線網制御器（ＲＮＣ）は、端末から伝送された無線資源制御（ＲＲＣ）連結要請メッセージを受信して前記端末のバージョンを確認する手段と、前記ＲＲＣ連結要請メッセージに応答してＲＲＣ連結設定メッセージを前記端末に伝送するように動作する手段と、‘前記端末が前記ＲＲＣ連結設定メッセージに応答して伝送したＲＲＣ連結設定完了メッセージ’を受信し、前記ＲＲＣ連結設定完了メッセージに含まれた‘映像呼に対する前記端末の多重サブフロー支援の如何を示すパラメータ’を確認して映像呼に対するサブフローを設定するように動作する手段とを備える。
本発明による移動通信システムの端末（ＵＥ）は、制御チャネル設定要請のための無線資源制御（ＲＲＣ）連結要請メッセージに端末のバージョン情報を含んで無線網制御器（ＲＮＣ）に伝送するように動作する手段と、前記ＲＮＣが伝送したＲＲＣ連結設定メッセージに応答してＲＲＣ連結設定完了メッセージに‘映像呼に対する前記端末の多重サブフロー支援の如何を示すパラメータ’を含んで前記ＲＮＣに伝送するように動作する手段とを備える。
本発明による移動通信システムは、  制御チャネル設定要請のための無線資源制御（ＲＲＣ）連結要請メッセージに端末のバージョン情報を含んで無線網制御器（ＲＮＣ）に伝送し、前記ＲＮＣから伝送されたＲＲＣ連結設定メッセージに応答してＲＲＣ連結設定完了メッセージに‘映像呼に対する前記端末の多重サブフロー支援の如何を示すパラメータ’を含んで前記ＲＮＣに伝送する端末と、前記ＲＲＣ連結要請メッセージを受信して前記端末のバージョンを確認し、前記ＲＲＣ連結要請メッセージに応答して前記ＲＲＣ連結設定メッセージを前記端末に伝送し、前記ＲＲＣ連結設定完了メッセージに含まれた前記パラメータを確認して映像呼に対するサブフローを設定する無線網制御器とを備える。
【０００５】
本発明は、さらに以下の手段を提供する。
（項目１）
無線接続網の無線網制御器（ＲＮＣ）でサブフロー（ｓｕｂ−ｆｌｏｗ）を設定する方法であって、
端末から伝送された無線資源制御（ＲＲＣ）連結要請メッセージを受信して上記端末のバージョンを確認する段階と、
上記ＲＲＣ連結要請メッセージに応答してＲＲＣ連結設定メッセージを上記端末に伝送する段階と、
‘上記端末が上記ＲＲＣ連結設定メッセージに応答して伝送したＲＲＣ連結設定完了メッセージ’を受信する段階−上記ＲＲＣ連結設定完了メッセージには映像呼に対する上記端末の多重サブフロー支援の如何を示すパラメータが含まれる−と、
上記ＲＲＣ連結設定完了メッセージに含まれた上記パラメータを確認して映像呼に対するサブフローを設定する段階と
を備えることを特徴とするサブフロー設定方法。
（項目２）
上記端末は、映像呼に対して多重サブフローを選択的にサポートできる端末であることを特徴とする項目１に記載のサブフロー設定方法。
（項目３）
上記ＲＮＣは、上記パラメータを確認するに従って、上記端末が多重サブフローをサポートすると映像呼に対して多重サブフローを設定し、上記端末が多重サブフローをサポートしないと映像呼に対して単一サブフローを設定することを特徴とする項目２に記載のサブフロー設定方法。
（項目４）
上記ＲＮＣは、上記パラメータを確認するに従って、上記端末が多重サブフローをサポートすると、音声呼に対するサブフロー設定後に映像呼にサービス切替時に多重サブフローを設定して切替えることを特徴とする項目２に記載のサブフロー設定方法。
（項目５）
上記ＲＮＣは、上記パラメータを確認するに従って、上記端末が多重サブフローをサポートすると、映像呼に対するサブフロー設定後に音声呼にサービス切替時に多重サブフローを設定して切替えることを特徴とする項目２に記載のサブフロー設定方法。
（項目６）
上記端末が映像呼に対して単一サブフローのみをサポートする端末であれば、上記ＲＮＣが映像呼に対して単一サブフローを設定することを特徴とする項目１に記載のサブフロー設定方法。
（項目７）
ＲＲＣ連結完了後、ＲＮＣが再割当される場合、ターゲットＲＮＣがソースＲＮＣから端末容量情報が伝送されたかどうかを確認する段階と、
上記確認に応答し、上記ターゲットＲＮＣが上記端末に端末容量情報を要請する段階と、
上記ターゲットＲＮＣが‘上記端末が上記要請に応答して伝送した端末容量情報メッセージ’を受信する段階−上記端末容量情報メッセージには映像呼に対する上記端末の多重サブフロー支援の如何を示すパラメータが含まれる−と、
上記ターゲットＲＮＣが上記端末容量情報メッセージに含まれた上記パラメータを確認して映像呼に対するサブフローを設定する段階と
をさらに備えることを特徴とする項目１〜６のうちのいずれか一項に記載のサブフロー設定方法。
（項目８）
上記端末が映像呼に対して多重サブフローを選択的にサポートすることができる端末の場合、上記ターゲットＲＮＣが上記パラメータを確認するに従って、上記端末が多重サブフローをサポートすると映像呼に対して多重サブフローを設定し、上記端末が多重サブフローをサポートしないと映像呼に対して単一サブフローを設定し、
上記端末が映像呼に対して単一サブフローのみをサポートする端末の場合、上記ターゲットＲＮＣが映像呼に対して単一サブフローを設定することを特徴とする項目７に記載のサブフロー設定方法。
（項目９）
移動通信システムの無線網制御器（ＲＮＣ）であって、
端末から伝送された無線資源制御（ＲＲＣ）連結要請メッセージを受信して上記端末のバージョンを確認するように動作する手段と、
上記ＲＲＣ連結要請メッセージに応答してＲＲＣ連結設定メッセージを上記端末に伝送するように動作する手段と、
‘上記端末が上記ＲＲＣ連結設定メッセージに応答して伝送したＲＲＣ連結設定完了メッセージ’を受信し、上記ＲＲＣ連結設定完了メッセージに含まれた‘映像呼に対する上記端末の多重サブフロー支援の如何を示すパラメータ’を確認して映像呼に対するサブフローを設定するように動作する手段と
を備えることを特徴とする移動通信システムの無線網制御器。
（項目１０）
ＲＲＣ連結完了の後、ＲＮＣが再割当される場合、ソースＲＮＣから端末容量情報が伝送されるかどうかを確認するように動作する手段と、
上記確認に応答し、上記端末に端末容量情報を要請するように動作する手段と、
‘上記端末が上記要請に応答して伝送した端末容量情報メッセージ’を受信し、上記端末容量情報メッセージに含まれた‘映像呼に対する上記端末の多重サブフロー支援の如何を示すパラメータ’を確認して映像呼に対するサブフローを設定するように動作する手段と
をさらに備えることを特徴とする項目９に記載の移動通信システムの無線網制御器。
（項目１１）
上記端末が映像呼に対して多重サブフローを選択的にサポートすることができる端末の場合、上記パラメータを確認するに従って、上記端末が多重サブフローをサポートすると映像呼に対して多重サブフローを設定し、上記端末が多重サブフローをサポートしないと映像呼に対して単一サブフローを設定し、
上記端末が映像呼に対して単一サブフローのみをサポートする端末の場合、映像呼に対して単一サブフローを設定することを特徴とする項目９または項目１０に記載の移動通信システムの無線網制御器。
（項目１２）
移動通信システムの端末（ＵＥ）であって、
制御チャネル設定要請のための無線資源制御（ＲＲＣ）連結要請メッセージに端末のバージョン情報を含んで無線網制御器（ＲＮＣ）に伝送するように動作する手段と、
上記ＲＮＣが伝送したＲＲＣ連結設定メッセージに応答してＲＲＣ連結設定完了メッセージに‘映像呼に対する上記端末の多重サブフロー支援の如何を示すパラメータ’を含んで上記ＲＮＣに伝送するように動作する手段と
を備えることを特徴とする移動通信システムの端末。
（項目１３）
ＲＲＣ連結完了の後、ＲＮＣが再割当される場合、ターゲットＲＮＣからの要請に応答して上記パラメータが含まれた端末容量情報メッセージを上記ターゲットＲＮＣに伝送するように動作する手段をさらに備えることを特徴とする項目１２に記載の移動通信システムの端末。
（項目１４）
移動通信システムであって、
制御チャネル設定要請のための無線資源制御（ＲＲＣ）連結要請メッセージに端末のバージョン情報を含んで無線網制御器（ＲＮＣ）に伝送し、上記ＲＮＣから伝送されたＲＲＣ連結設定メッセージに応答してＲＲＣ連結設定完了メッセージに‘映像呼に対する上記端末の多重サブフロー支援の如何を示すパラメータ’を含んで上記ＲＮＣに伝送する端末と、
上記ＲＲＣ連結要請メッセージを受信して上記端末のバージョンを確認し、上記ＲＲＣ連結要請メッセージに応答して上記ＲＲＣ連結設定メッセージを上記端末に伝送し、上記ＲＲＣ連結設定完了メッセージに含まれた上記パラメータを確認して映像呼に対するサブフローを設定する無線網制御器と
を備えることを特徴とする移動通信システム。
（項目１５）
上記ＲＮＣは、
上記端末が映像呼に対して多重サブフローを選択的にサポートできる端末の場合、上記パラメータを確認するに従って、上記端末が多重サブフローをサポートすると映像呼に対して多重サブフローを設定し、上記端末が多重サブフローをサポートしないと映像呼に対して単一サブフローを設定し、
上記端末が映像呼に対して単一サブフローのみをサポートする端末の場合、映像呼に対して単一サブフローを設定することを特徴とする項目１４に記載の移動通信システム。
【０００６】
（摘要）
無線接続網でサブフロー（ｓｕｂ−ｆｌｏｗｓ）を設定する方法及びそのための移動通信システムが開示される。本発明によれば、無線網制御器（ＲＮＣ）が端末から伝送された無線資源制御（ＲＲＣ）連結要請メッセージを受信して端末のバージョンを確認し、ＲＲＣ連結要請メッセージに応答してＲＲＣ連結設定メッセージを端末に伝送する。そして、‘端末がＲＲＣ連結設定メッセージに応答して伝送したＲＲＣ連結設定完了メッセージ（この時、ＲＲＣ連結設定完了メッセージには映像呼に対する端末の多重サブフロー支援の如何を示すパラメータが含まれる）’を受信し、ＲＲＣ連結設定完了メッセージに含まれたパラメータを確認して映像呼に対するサブフローを設定する。もし、端末が映像呼に対して多重サブフローを選択的にサポートすることができる端末の場合、パラメータを確認するに従って、端末が多重サブフローをサポートすると映像呼に対して多重サブフローを設定し、端末が多重サブフローをサポートしないと映像呼に対して単一サブフローを設定する。しかし、端末が映像呼に対して単一サブフローのみをサポートする端末の場合、映像呼に対して単一サブフローを設定する。
【発明の効果】
【０００７】
前述したようになされる本発明は、端末にサポートされるサブフローを確認することができるので映像サービスを失敗なくサポートすることができ、ＳＣＵＤＩＦ機能を用いて音声サービスと映像サービス間のサービス切替時に端末のサブフローの設定エラーによるサービス切替失敗を防止することができる。また、ＵＭＴＳ網内でローミングなどを通じて流入する加入者に映像サービスを失敗なくサポートすることができる。
【発明を実施するための最良の形態】
【０００８】
図１はＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の構成を概略的に示すブロック図である。図１を参照すれば、ＵＭＴＳは端末（ＵＥ）、ＵＭＴＳ無線接続網（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）及び無線通信コア網（Ｃｏｒｅ  Ｎｅｔｗｏｒｋ）間に有機的に連結されて構成される。
ＵＴＲＡＮは、無線通信コア網に連結された一つ以上の無線網サブシステム（ＲＮＳ：Ｒａｄｉｏ  Ｎｅｔｗｏｒｋ  Ｓｕｂｓｙｓｔｅｍｓ）を備える。ＲＮＳは無線網制御器（ＲＮＣ）と一つ以上の基地局（Ｎｏｄｅ−Ｂ）で構成される。各Ｎｏｄｅ−Ｂは一つ以上のセル（Ｃｅｌｌ）を管理して、ＲＮＣと連結される。
ＲＮＣは、Ｎｏｄｅ−Ｂそれぞれの無線資源を制御する。ＲＮＣは自身が管理するＮｏｄｅ−Ｂに対して無線資源を割り当て、Ｎｏｄｅ−ＢはＲＮＳで割り当てられた無線資源をＵＥに提供する。無線資源はセル（Ｃｅｌｌ）別に構成されており、各Ｎｏｄｅ−Ｂが提供する無線資源は該当Ｎｏｄｅ−Ｂが管理する特定セルに関する無線資源を意味する。ＵＥはＮｏｄｅ−Ｂが管理する特定セルに関する無線資源を用いて無線チャネルを設定し、設定された無線チャネル（無線ベアラ）を通じてデータ（例えば、音声呼、映像呼）を送受信する。
図２は、音声呼に対して設定された無線接続プロトコルの構造を概略的に示す。図２に示された通り、コーデック（Ｃｏｄｅｃ、図示せず）で適応的多重レート（Ａｄａｐｔｉｖｅ  ｍｕｌｔｉ  ｒａｔｅ）で圧縮された音声データに対して３つのトラフィック無線ベアラ（ＴＲＢ：Ｔｒａｆｆｉｃ  Ｒａｄｉｏ  Ｂｅａｒｅｒ）が設定され、３つのサブフロー（ｓｕｂ１〜ｓｕｂ３）を用いて音声データが伝送される。図２でシグナルリング無線ベアラ（ＳＲＢ：Ｓｉｇｎａｌｉｎｇ  Ｒａｄｉｏ  Ｂｅａｒｅｒ）は制御平面（ｃｏｎｔｒｏｌ  ｐｌａｎｅ）データを伝送する無線ベアラを示す。
無線リンク制御（ＲＬＣ：Ｒａｄｉｏ  ｌｉｎｋ  ｃｏｎｔｒｏｌ）階層は各無線ベアラ（ＴＲＢ、ＳＲＢ）のＱｏＳ（Ｑｕａｌｉｔｙ  ｏｆ  Ｓｅｒｖｉｃｅ）に対する保障とこれによるデータの伝送を担当する。ＲＬＣは無線ベアラ固有のＱｏＳを保障するために無線ベアラごとに一つまたは二つの独立したＲＬＣ個体（ｅｎｔｉｔｙ）をおいており、多様なＱｏＳをサポートするために透明モード（ＴＭ：Ｔｒａｎｓｐａｒｅｎｔ  Ｍｏｄｅ）、無応答モード（ＵＭ：Ｕｎａｃｋｎｏｗｌｅｄｇｅｄ  Ｍｏｄｅ）及び応答モード（ＡＭ：Ａｃｋｎｏｗｌｅｄｇｅｄ  Ｍｏｄｅ）の３種類のＲＬＣモードを提供する。
論理チャネル（ｌｏｇｉｃａｌ  ｃｈａｎｎｅｌ）は、ＲＬＣ階層と下位階層である媒体アクセス制御（ＭＡＣ：Ｍｅｄｉｕｍ  Ａｃｃｅｓｓ  Ｃｏｎｔｒｏｌ）階層を連結する。論理チャネルにはＦＤＤ（Ｆｒｅｑｕｅｎｃｙ  Ｄｉｖｉｓｉｏｎ  Ｄｕｐｌｅｘ）用として多様な論理的チャネルを用いている。例えば、論理チャネルには制御平面の情報を伝送する専用制御チャネル（ＤＣＣＨ：Ｄｅｄｉｃａｔｅｄ  Ｃｏｎｔｒｏｌ  Ｃｈａｎｎｅｌ）とユーザ平面（ｕｓｅｒ  ｐｌａｎｅ）の情報、即ち、音声データを伝送する専用トラフィックチャネル（ＤＴＣＨ：Ｄｅｄｉｃａｔｅｄ  Ｔｒａｆｆｉｃ  Ｃｈａｎｎｅｌ）などがある。
ＭＡＣ階層は、論理チャネルと伝送チャネルとの間のマッピングを担当する。ＭＡＣ階層は、ＲＬＣ階層で伝達されたデータを伝送するために適切な伝送チャネルを選択し、必要な制御情報をＭＡＣ  ＰＤＵ（Ｐｒｏｔｏｃｏｌ  Ｄａｔａ  Ｕｎｉｔ）のヘッダに追加する。ＭＡＣ階層には多様な副層（ｓｕｂｌａｙｅｒ）があって、その中からＭＡＣ−Ｄ副層は特定端末に対する専用チャネル（ＤＣＨ：Ｄｅｄｉｃａｔｅｄ  Ｃｈａｎｎｅｌ）の管理を担当する。
第１の階層である物理（ＰＨＹ）階層は、ＭＡＣ階層と伝送チャネルを通じて連結され、多様な無線伝送技術を用いてデータを無線区間に伝送する役割をする。
図３ａ及び図３ｂは、映像呼に対して単一サブフローを用いる無線接続プロトコルの構造と多重サブフローを用いる無線接続プロトコルの構造をそれぞれ示す。図３ａに示された通り、映像データに対して１つのトラフィック無線ベアラ（ＴＲＢ）が設定（ｓｅｔ−ｕｐ）され、単一サブフローを用いて映像データが伝送される。または、図３ｂに示された通り、映像データに対して３つのトラフィック無線ベアラが設定され、多重サブフローを用いて映像データが伝送される。
無線接続プロトコルでサブフロー、即ち、設定される無線ベアラの数は端末のバージョンに基づいてなされる。映像呼に対しては全ての端末で図３ａの単一サブフロー（ｓｉｎｇｌｅ  ｓｕｂ−ｆｌｏｗ）を必須でサポートするが、図３ｂの多重サブフロー（例えば、３つのサブフロー）はバージョンがＲＥＬ（Ｒｅｌｅａｓｅ）−５以後の端末でのみ選択的にサポートされている。参考までに、ＲＥＬ−５以前バージョン（例えば、Ｒ９９／Ｒ４）では映像サービス設定時に単一フローを用いる。
端末（ＵＥ）のバージョン確認は、ＲＲＣ連結手続（ＲＲＣ  ｃｏｎｎｅｃｔｉｏｎ  ｅｓｔａｂｌｉｓｈｍｅｎｔ）時に確認することができる。端末がＲＲＣ（Ｒａｄｉｏ  Ｒｅｓｏｕｒｃｅ  Ｃｏｎｔｒｏｌ）連結のために図４に示された通りＲＲＣ連結要請（１０．２．３９  ＲＲＣ  ｃｏｎｎｅｃｔｉｏｎ  ｒｅｑｕｅｓｔ）メッセージをＲＮＣに伝送すれば、ＲＮＣはＲＲＣ連結要請メッセージで「Ａｃｃｅｓｓ  ｓｔｒａｔｕｍ  ｒｅｌｅａｓｅ  ｉｎｄｉｃａｔｏｒ」パラメータを確認して端末のバージョンを確認する。確認結果、ＲＮＣは端末のバージョンがＲＥＬ−５以後であれば、映像サービス設定時に多重サブフロー（例えば、３つのサブフロー）を用いるように制御し、バージョンがＲＥＬ−５以前のバージョン（例えば、Ｒ９９／Ｒ４）であれば、単一サブフローを用いるように制御する。
図５は、本発明の実施例によってＵＭＴＳ無線接続網（ＵＴＲＡＮ）で端末の多重サブフロー支援の如何を確認する方法を示す図面である。
図５を参照すれば、端末（ＵＥ）はアイドルモード（５１０）で上位階層から無線接続網ノードとのシグナルリング連結（ｓｉｇｎａｌｉｎｇ  ｃｏｎｎｅｃｔｉｏｎ）を設定することの要請を受ければ、無線網制御器（ＲＮＣ）にＲＲＣ連結要請メッセージ（図４参照）を伝送する（５２０）。これは端末（ＵＥ）がＲＮＣに制御チャネル設定を要請するためである。端末（ＵＥ）からＲＲＣ連結要請メッセージを受信したＲＮＣはＲＲＣ連結要請メッセージで「Ａｃｃｅｓｓ  ｓｔｒａｔｕｍ  ｒｅｌｅａｓｅ  ｉｎｄｉｃａｔｏｒ」パラメータを確認して、端末（ＵＥ）のバージョンを確認する（５３０）。本実施例では端末（ＵＥ）のバージョンがＲＥＬ−５以後なのかあるいはＲＥＬ−５以前のバージョン（例えば、Ｒ９９／Ｒ４）なのかを確認する。
ＲＮＣは、特定ダウンリンクチャネルを通じてＲＲＣ連結要請メッセージに対する応答メッセージであるＲＲＣ連結設定（ＲＲＣ  ｃｏｎｎｅｃｔｉｏｎ  ｓｅｔｕｐ）メッセージを端末（ＵＥ）へ伝送する（５４０）。この時、ＲＲＣ連結設定メッセージには制御チャネル情報が含まれる。端末（ＵＥ）は、ＲＲＣ連結設定メッセージを受信すれば、ＲＮＣにＲＲＣ連結設定完了（ＲＲＣ  ｃｏｎｎｅｃｔｉｏｎ  ｓｅｔｕｐ  ｃｏｍｐｌｅｔｅ）メッセージを伝送する（５５０）。ＲＮＣは端末（ＵＥ）から受信したＲＲＣ連結設定完了メッセージ内で図６に示された端末アクセス容量（１０．３．３．４２  ＵＥ  ａｃｃｅｓｓ  ｃａｐａｂｉｌｉｔｙ）の中、本発明の実施例に従って追加された映像呼に対する多重サブフロー支援パラメータ、例えば「ｍｕｌｔｉｐｌｅ  ｓｕｂ−ｆｌｏｗｓ  ｆｏｒ  ＶＴ  ｓｕｐｐｏｒｔ  ｉｎｄｉｃａｔｏｒ」パラメータが「Ｔｒｕｅ」であれかまたは「Ｆａｌｓｅ」であるかを確認する（５６０）。確認結果、「Ｍｕｌｔｉｐｌｅ  ｓｕｂ−ｆｌｏｗｓ  ｆｏｒ  ＶＴ  ｓｕｐｐｏｒｔ  ｉｎｄｉｃａｔｏｒ」パラメータが「Ｔｒｕｅ」であれば、端末（ＵＥ）が映像サービス設定時に単一サブフロー及び多重サブフロー（例えば、３つのサブフロー）を全てサポートすることを意味し、「Ｆａｌｓｅ」であれば、端末（ＵＥ）が映像サービス設定時に単一サブフローのみをサポートすることを意味する。
従って、ＲＮＣは端末（ＵＥ）のバージョンがＲＥＬ−５以後であり「Ｍｕｌｔｉｐｌｅ  ｓｕｂ−ｆｌｏｗｓ  ｆｏｒ  ＶＴ  ｓｕｐｐｏｒｔ  ｉｎｄｉｃａｔｏｒ」パラメータが「Ｔｒｕｅ」であれば、映像サービス設定時に多重サブフロー（例えば、３つのサブフロー）を用いる。端末（ＵＥ）が多重サブフローをサポートするので、呼設定失敗がなくなる（サブフロー遅延の如何の差による呼設定失敗がないので、呼設定のための再試図が必要ない）。また、音声サービス設定後に映像サービスに転換したり映像サービス設定後に音声サービスに転換する場合にも、多重サブフロー（例えば、３つのサブフロー）を用いて呼品質低下なくサービスを転換することができる。
反面、ＲＮＣは端末（ＵＥ）のバージョンがＲＥＬ−５以後でありながら「Ｍｕｌｔｉｐｌｅ  ｓｕｂ−ｆｌｏｗｓ  ｆｏｒ  ＶＴ  ｓｕｐｐｏｒｔ  ｉｎｄｉｃａｔｏｒ」パラメータが「Ｆａｌｓｅ」であれば、映像呼に対するサービス、即ち、ＣＳ（Ｃｉｒｃｕｉｔ−ｓｗｉｔｃｈｅｄ）サービス設定時に単一サブフローを用いる。また、ＳＣＵＤＩＦ機能の駆動時に多重サブフローを用いないですぐに現在のサービスを削除して新たなサービスを設定することによって、サブフロー設定エラーによるサービス切替失敗を防止することができる。
一方、端末（ＵＥ）とＲＮＣとの間のＲＲＣ連結完了の後、ＳＲＮＣ（Ｓｅｒｖｉｎｇ  ＲＮＣ）を再割当て（ｒｅｌｏｃａｔｉｏｎ）する場合、例えば、ソース（Ｓｏｕｒｃｅ）ＲＮＣからターゲット（Ｔａｒｇｅｔ）ＲＮＣにＳＲＮＣを再割当する場合、ソースＲＮＣからターゲットＲＮＣに端末（ＵＥ）の情報が伝送されなければ、ターゲットＲＮＣは端末（ＵＥ）に端末情報を要請するようになる。図７は本発明の実施例によってＳＲＮＣ再割当て時に端末容量情報の確認手続を通じて端末の多重サブフロー支援の如何を確認する過程を示す。
図７を参照すれば、ＳＲＮＣ再割当て時にターゲットＲＮＣはソースＲＮＣから端末（ＵＥ）の情報（例えば、端末容量情報）が伝送されたのかを確認する（７１０）。確認結果、端末（ＵＥ）の情報が伝送されなければ、ターゲットＲＮＣは端末（ＵＥ）に情報を要請する（７２０）。端末（ＵＥ）は情報要請に応答して専用制御チャネル（ＤＣＣＨ）を通じて端末容量情報（ＵＥ  ｃａｐａｂｉｌｉｔｙ  ｉｎｆｏｒｍａｔｉｏｎ）メッセージをターゲットＲＮＣに伝送する（７３０）。ＲＮＣは受信された端末容量情報メッセージ内の端末無線アクセス容量（図６参照）の中、本発明の実施例に従って追加されたパラメータ、例えば「Ｍｕｌｔｉｐｌｅ  ｓｕｂ−ｆｌｏｗｓ  ｆｏｒ  ＶＴ  ｓｕｐｐｏｒｔ  ｉｎｄｉｃａｔｏｒ」パラメータが「Ｔｒｕｅ」であるかまたは「Ｆａｌｓｅ」であるかを確認して（７４０）、端末（ＵＥ）が映像サービス設定時に多重サブフローをサポートするかを確認する。
引き続き、ターゲットＲＮＣは、受信された端末容量情報メッセージの応答メッセージで端末容量情報確認（ＵＥ  Ｃａｐａｂｉｌｉｔｙ  Ｉｎｆｏｒｍａｔｉｏｎ  Ｃｏｎｆｉｒｍ）メッセージを端末（ＵＥ）に伝送して（７５０）、端末（ＵＥ）の容量に関する更新が成功的に行われたことを知らせる。
従って、ＳＲＮＣが再割当されても本発明の実施例によって端末無線アクセス容量（ＵＥ  ｒａｄｉｏ  ａｃｃｅｓｓ  ｃａｐａｂｉｌｉｔｙ）に追加されたパラメータ「Ｍｕｌｔｉｐｌｅ  ｓｕｂ−ｆｌｏｗｓ  ｆｏｒ  ＶＴ  ｓｕｐｐｏｒｔ  ｉｎｄｉｃａｔｏｒ」を用いてサブフロー設定の失敗を防止することができる。
本発明を望ましい実施例を通じて説明して例示したが、当業者であれば添付した特許請求の範囲の事項及び範疇を逸脱せず、様々な変形及び変更がなされることが分かる。
【図面の簡単な説明】
【０００９】
【図１】ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の構成を示すブロック図である。
【図２】音声呼に対して設定された無線接続プロトコルの構造を示す例示図である。
【図３ａ】映像呼に対して単一サブフローを用いる無線接続プロトコルの構造を示す例示図である。
【図３ｂ】映像呼に対して多重サブフローを用いる無線接続プロトコルの構造を示す例示図である。
【図４】端末のバージョンを確認することができるＲＲＣ連結要請メッセージを示す例示図である。
【図５】本発明の実施例によってＵＭＴＳ無線接続網（ＵＴＲＡＮ）で端末の多重サブフロー支援の如何を確認する方法を示す図面である。
【図６】本発明の実施例による端末の無線接続容量メッセージの例を示す例示図である。
【図７】本発明の実施例によってＳＲＮＣ再割当て時に端末容量情報の確認手続を通じて端末の多重サブフロー支援の如何を確認する過程を示す図面である。
【図１】
2009159594.tif 000003
【図２】
2009159594.tif 000004
【図３ａ】
2009159594.tif 000005
【図３ｂ】
2009159594.tif 000006
【図４】
2009159594.tif 000007
【図５】
2009159594.tif 000008
【図６】
2009159594.tif 000009
【図７】
2009159594.tif 000010